(57)【要約】【課題】隣接する搬送ユニットでの駆動源を共用化して、駆動源の数を少なくすることにより、装置コストを低減可能にすると共に、省スペースを可能にする写真処理装置用搬送ユニットを提供する。【解決手段】印画紙を後方に搬送可能な一組の前方搬送ユニット４ｂと後方搬送ユニット４ａとからなり、これら両搬送ユニット４ａ，４ｂが共通の単一駆動源により駆動される。前方搬送ユニット４ｂの後端側と後方搬送ユニット４ａの先端側の駆動軸に夫々ギア１０ｂ，１０ａが軸支されており、これら両ギア１０ｂ，１０ａの間に駆動伝達可能な中間ギヤ１０ｃが介在されていると共に、この中間ギア１０ｃと前方搬送ユニットのギア１０ｂとが、駆動軸を支点として回動可能なアーム１０ｄで接続されていて、前方搬送ユニットの後端側と後方搬送ユニットの先端側の駆動軸のいずれかに、単一駆動源が軸支されている写真処理装置用搬送ユニット。【選択図】　　　　図３
2004037807.tif 000002
【特許請求の範囲】
【請求項１】
感光材料を後方に搬送可能な一組の前方搬送ユニットと後方搬送ユニットとからなり、これら両搬送ユニットが共通の単一駆動源により駆動されるようになっている写真処理装置用搬送ユニットであって、
前記前方搬送ユニットの後端側と後方搬送ユニットの先端側の駆動軸に夫々ギアが軸支されており、これら両ギアの間に駆動伝達可能な中間ギヤが介在されていると共に、この中間ギアと前記前方搬送ユニット又は後方搬送ユニットのいずれかの前記ギアとが、前記駆動軸を支点として回動可能なアームで接続されていて、前記前方搬送ユニットの後端側と後方搬送ユニットの先端側の前記駆動軸のいずれかに、前記単一駆動源が軸支されていることを特徴とする写真処理装置用搬送ユニット。
【発明の詳細な説明】
【０００１】
【発明の属する技術分野】
本発明は写真処理装置用搬送ユニットに関し、詳しくは、感光材料を後方に搬送可能な一組の前方搬送ユニットと後方搬送ユニットとからなり、これら両搬送ユニットが共通の単一駆動源により駆動されるようになっている写真処理装置用搬送ユニットに関する。
【０００２】
【従来の技術】
ラボなどで大量の写真を効率よく処理する写真処理装置は、印画紙に焼付け処理する焼付け処理部と、印画紙を現像処理する現像処理部とを有しており、焼付け処理部で焼付け処理された印画紙は搬送ベルトあるいはローラにより下流側の現像処理部に搬送されるようになっている。
【０００３】
これら搬送装置は、搬送装置途中において印画紙の切断端面から離散する紙粉などに起因する汚れを除去すべく清掃し易いように、複数のユニットから構成されている。その場合、夫々のユニットは個別にモータのような駆動源が接続されていて、保守の際には各ユニット毎に取り外され点検されると共に、取り外された後の各ユニットの装着箇所などを清掃された後、元の装着位置に取り付けを行うようにしている。
【０００４】
【発明が解決しようとする課題】
しかしながら、複数のユニットの夫々に駆動源が装着されているため、装置コストを高くしていると共に、写真処理装置内に駆動源のスペースを確保する必要があり、コストの低減化、装置の小形化の要請からは改善の余地がある。
【０００５】
そこで、本発明は隣接する搬送ユニットでの駆動源を共用化して、駆動源の数を少なくすることにより、装置コストを低減可能にすると共に、省スペースを可能にする写真処理装置用搬送ユニットを提供することにある。
【０００６】
【課題を解決するための手段】
上記目的は各請求項記載の発明により達成される。すなわち、本発明に係る写真処理装置用搬送ユニットの特徴構成は、
感光材料を後方に搬送可能な一組の前方搬送ユニットと後方搬送ユニットとからなり、これら両搬送ユニットが共通の単一駆動源により駆動されるようになっていて、
前記前方搬送ユニットの後端側と後方搬送ユニットの先端側の駆動軸に夫々ギアが軸支されており、これら両ギアの間に駆動伝達可能な中間ギヤが介在されていると共に、この中間ギアと前記前方搬送ユニット又は後方搬送ユニットのいずれかの前記ギアとが、前記駆動軸を支点として回動可能なアームで接続されていて、前記前方搬送ユニットの後端側と後方搬送ユニットの先端側の前記駆動軸のいずれかに、前記単一駆動源が軸支されていることにある。
【０００７】
この構成によれば、前方搬送ユニットの後端側と後方搬送ユニットの先端側の駆動軸を中間ギアにより駆動伝達することにより、前方搬送ユニットと後方搬送ユニットの駆動源を単一にすることができる。しかも、前方搬送ユニットと後方搬送ユニットを取り外して、搬送経路周辺を清掃した後、再び装置内に両ユニットを組み付けるに際して、中間ギアが前方搬送ユニット又は後方搬送ユニットの駆動軸に軸支されているギアと容易かつ円滑に噛合させることができて都合がよい。つまり、装置内を清掃後、前方搬送ユニットと後方搬送ユニッのいずれかのユニットを先に装置内に取り付け、その後、中間ギアをアーム接続した他方のユニットを取り付けるに際して、必ずしも中間ギアと既に装置内に装着されているユニットのギアとが噛合するとは限らないところ、中間ギアがアーム接続されているギアの駆動軸を支点として回動可能になっているため、ギアの山どうしが接当した段階で、中間ギアは停止し、その後の駆動軸の回転に伴う中間ギアの回転作用により、中間ギア側の山が被噛合側のユニット側のギアの谷と噛合する位置にずれて、両ギアが容易かつ円滑に噛み合うようになる。ここで、中間ギアとアーム接続されるギアは、前方搬送ユニット又は後方搬送ユニットのいずれでもよく、その場合、中間ギアは、前方搬送ユニットの駆動軸に軸支されているギアより後端側、または後方搬送ユニットの駆動軸に軸支されているギアより前端側に配置されることになる。
【０００８】
その結果、隣接する搬送ユニットでの駆動源を共用化して、駆動源の数を少なくすることにより、装置コストを低減可能にすると共に、省スペースを可能にする写真処理装置用搬送ユニットを提供することができた。
【０００９】
【発明の実施の形態】
本発明の実施の形態を、図面を参照して詳細に説明する。図１，図２は、デジタル画像を感光材料である印画紙１に焼付け処理する焼付け処理部２と、印画紙１を現像処理する現像処理部３とからなる写真処理装置を示す。尚、図２は、便宜上、図１の写真処理装置の裏側からみた構造を示す。
【００１０】
焼付け処理部２は、ころ式のスライドレール等を介して前後方向に引き出し可能なマガジン台（図示略）上に夫々載置した、第１マガジン７と第２マガジン８とを縦方向に並設すると共に、印画紙１を第１マガジン７から繰り出す状態と、第２マガジン８から繰り出す状態とに切り換え自在に構成し、第１マガジン７と第２マガジン８からの印画紙１を焼付処理する画像形成部である露光エンジン９を、第２マガジン８の上方側に配設して構成してある。第１マガジン７、第２マガジン８には、ロール状に巻かれた印画紙１が各別に収容されている。
【００１１】
第１マガジン７と第２マガジン８から印画紙１が夫々露光エンジン９に達するように、印画紙経路が形成されており、印画紙１は、第１マガジン７と第２マガジン８から、夫々引き出し機構により、各別に引き出して繰り出せるように構成されている。印画紙経路には、一対の挟持ローラ６が複数組配置されており、これら挟持ローラ６により、印画紙１は露光エンジン９に達して焼付け処理された後、搬送経路を経て現像処理部３に向けて搬送される。もっとも、印画紙１は、露光エンジン９によって焼付け処理される前に、図示はしないが搬送経路途中に設けられたカッターにより、所定長さに切断される。各挟持ローラ６の配置間隔は、当然のことながら、使用される印画紙の内、最小長さ以下となっている。
【００１２】
搬送経路は、複数組の搬送ユニットから構成されており、上部に配置されている搬送ユニットは、いずれも装置外に取り外し可能になっていて、印画紙の切断端面から離散する紙粉などに起因する搬送経路周辺の汚れを除去し易いようになっている。そして、各搬送ユニット４は、フレームに軸支された駆動軸と従動軸の間を差し渡され、焼付け処理された印画紙を搬送するベルトを備えて構成されているが、隣接する搬送ユニット４の内、前方搬送ユニット４ｂの後端側と後方搬送ユニット４ａの先端側の駆動軸のフレーム外側の位置には、図３に示すように、夫々ギア１０ｂ，１０ａが軸支されていると共に、これら両ギア１０ａ，１０ｂ間に駆動伝達可能な中間ギヤ１０ｃが介在されている。この中間ギア１０ｃと前方搬送ユニット４ｂのギア１０ｂとが、駆動軸を支点として回動可能にアーム１０ｄで接続されている。
【００１３】
更に、前方搬送ユニット４ｂの後端側と後方搬送ユニット４ａの先端側の駆動軸のいずれかに、駆動源である１個のモータ（図示略）が軸支されている構造になっており、各ユニットの駆動軸にモータを夫々装着する代わりに、１の駆動軸に単一のモータを装着し、中間ギア１０ｃを介して他のユニットに駆動伝達するようになっている。この場合、中間ギア１０ｃと前方搬送ユニット４ｂのギア１０ｂとがアーム１０ｄにより接続されて、中間ギア１０ｃが回動自在になっているため、噛合している中間ギア１０ｃと後方搬送ユニット４ａのギア１０ａとが、容易かつ円滑に取り外し可能であるだけでなく、取り付けの際にも容易かつ円滑に行うことができる。
【００１４】
すなわち、搬送経路周辺の清掃、露光エンジンの清掃あるいは挟持ローラ等の清掃後、先に後方搬送ユニット４ａを装置内に装着し、その後、前方搬送ユニット４ｂを装着させようとした場合に、図４に示すように、必ずしも両ギアが確実に噛合するとは限らず、ギアの山どうしが接当する場合があり、このまま駆動軸が回転するような場合が繰り返されると、ギア自体が損傷を受けることがある。そのような場合でも、中間ギア１０ｃがアーム接続されているギアの駆動軸を支点として回動可能になっているため、ギアの山どうしが接当していても、駆動軸が回転し始めた段階で、中間ギア１０ｃと駆動軸の回転作用により、中間ギア側の山が被噛合側であるユニット側のギア１０ａの谷と噛合する位置にずれて、両ギアが円滑に噛み合うようになる。このように、本実施形態の機構は、各ユニットの取り外しが容易かつ円滑であるのみならず、取り付けの際にも容易かつ円滑に行うことができ、その結果、ギアの損傷も確実に回避できる。
【００１５】
尚、図３，４において、１０ｅはストッパーであり、これを設けておくと、ユニットを取り出したときに、アーム１０ｄが回転して中間ギア１０ｃが下方に垂下するのを防止できて都合がよい。
【００１６】
〔別実施の形態〕
（１）上記実施形態では、中間ギア１０ｃが前方搬送ユニット４ｂ側に取り付けられている例を示したが、中間ギア１０ｃが後方搬送ユニット４ａ側に取り付けられていてもよい。
【図面の簡単な説明】
【図１】本発明の一実施形態に係る写真処理装置の全体側面図
【図２】焼付け処理部の縦断側面図
【図３】前後搬送ユニットの接続箇所の部分正面図
【図４】前後搬送ユニットの接続箇所のギアの噛み合わせを説明する図３と同様な部分正面図
【符号の説明】
４ａ　　　　　　後方搬送ユニット
４ｂ　　　　　　前方搬送ユニット
１０ａ，１０ｂ　ギア
１０ｃ　　　　　中間ギア
１０ｄ　　　　　アーム
【図１】
2004037807.tif 000003
【図２】
2004037807.tif 000004
【図３】
2004037807.tif 000005
【図４】
2004037807.tif 000006